(57)【要約】【課題】ロールを幅方向から支持する支持部の移動が可能な状態と、移動が規制された状態とを、容易に切り替えることが可能な印刷装置を提供する。【解決手段】印刷装置は、印刷媒体が巻回されたロールを収容する収容部２４を有する本体部２と、収容部２４の開口を開閉可能に覆うカバー３と、収容部２４に設けられ、ロールの両側を支持する一対の支持部と、一対の支持部に設けられたロック部材５であって、カバー３が閉塞した状態で、支持部の移動を規制したロック位置に配置され、カバー３が開放した状態で、支持部の移動を規制しないアンロック位置に配置されるロック部材と、ロック部材５が係合可能な係合部とを備える。ロック部材５は、カバー３が開放した状態で、係合部から離間したアンロック位置に配置され、カバー３が開放した状態から閉塞する過程でカバーに当接し、アンロック位置から、係合部に係合したロック位置に切り替わる。【選択図】図９
2018177460.tif 000002
【特許請求の範囲】
【請求項１】
印刷媒体に印刷を行う印刷装置であって、
前記印刷媒体が巻回されたロールを収容し、前記ロールの幅方向である第１方向と交差する第２方向の一方側が開口する収容部を有する本体部と、
前記収容部の開口を開閉可能に覆うカバーと、
前記収容部に設けられ、前記ロールのうち前記第１方向の両側を支持する一対の支持部であって、少なくとも一方が前記第１方向に移動可能な一対の支持部と、
前記一対の支持部のうち移動可能な移動支持部に設けられたロック部材であって、
前記カバーが閉塞した状態で、前記移動支持部の移動を規制したロック位置に配置され、
前記カバーが開放した状態で、前記移動支持部の移動を規制しないアンロック位置に配置されるロック部材と、
前記収容部に設けられ、前記ロック部材が係合可能な係合部と
を備え、
前記ロック部材は、
前記カバーが開放した状態で、前記係合部から離間した前記アンロック位置に配置され、
前記カバーが開放した状態から閉塞する過程で前記カバーに当接し、前記アンロック位置から、前記係合部に係合した前記ロック位置に切り替わることを特徴とする印刷装置。
【請求項２】
前記ロック部材を、前記ロック位置から前記アンロック位置に向けて付勢する付勢部材を更に備えたことを特徴とする請求項１に記載の印刷装置。
【請求項３】
前記ロック部材は、
前記移動支持部の側面に、支軸を中心として揺動可能に支持され、前記カバーと当接可能な当接部を有する第１ロック部材と、
前記移動支持部に移動可能に支持され、前記第１ロック部材の揺動に連動して移動し、前記係合部と係合可能な被係合部を有する第２ロック部材と
を備えたことを特徴とする請求項１又は２に記載の印刷装置。
【請求項４】
前記第１ロック部材は、前記第２ロック部材と連結する連結部を有し、
前記支軸に沿って延びる第１仮想線と前記当接部との間の最短距離である第１距離は、前記第１仮想線と前記連結部との間の最短距離である第２距離よりも長いことを特徴とする請求項３に記載の印刷装置。
【請求項５】
前記支軸に沿って延びる方向と直交する第２仮想線であって前記連結部を通過する第２仮想線と、前記第２ロック部材の移動方向とが略直交することを特徴とする請求項４に記載の印刷装置。
【請求項６】
前記ロック部材は、前記移動支持部の側面に、支軸を中心として揺動可能に支持された第３ロック部材を備え、
前記第３ロック部材は、
前記カバーと当接可能な当接部と、
前記係合部と係合可能な被係合部と
を有することを特徴とする請求項１又は２に記載の印刷装置。
【請求項７】
前記ロールの前記第１方向の側部に当接して保持する回転板であって、前記支軸を中心として回転可能に支持される回転板を有し、
前記第１ロック部材は、前記移動支持部と前記回転板とによって前記第１方向の両側から挟まれることを特徴とする請求項３から５の何れかに記載の印刷装置。
【請求項８】
前記ロールの前記第１方向の側部に当接して保持する回転板であって、前記支軸を中心として回転可能に支持される回転板を有し、
前記第３ロック部材は、前記移動支持部と前記回転板とによって前記第１方向の両側から挟まれることを特徴とする請求項６に記載の印刷装置。
【請求項９】
前記当接部は、弾性変形可能な当接片を有することを特徴とする請求項３から８の何れかに記載の印刷装置。
【発明の詳細な説明】
【技術分野】
【０００１】
本発明は、印刷装置に関する。
【背景技術】
【０００２】
印刷媒体が巻回されたロールを内部に保持し、ロールから印刷媒体を繰り出して印刷を行う印刷装置が知られている。特許文献１に記載されたプリンタは、用紙が搬送方向と直交する方向に移動することを規制して斜行を防止する斜行防止機構を備える。斜行防止機構は、２枚のガイドフェンス及びレバーを有する。２枚のガイドフェンスは、用紙ロールを両側から挟み込むことによって、用紙が幅方向に移動することを規制する。２枚のガイドフェンスは、用紙ロールの幅に応じて幅方向にスライド移動可能である。レバーは、ガイドフェンスの外側面に設けられる。レバーは、使用者による操作に応じ、２枚のガイドフェンスのスライド移動が可能な状態と、２枚のガイドフェンスのスライド移動が規制された状態とに切り替えられる。
【先行技術文献】
【特許文献】
【０００３】
【特許文献１】特開２００９−１７３３５３号公報
【発明の概要】
【発明が解決しようとする課題】
【０００４】
上記のプリンタでは、レバーの状態を切り替えるための操作を使用者が手動で行う必要がある。このため、例えば使用者は、幅の異なる用紙ロールをそれぞれプリンタに収容する度にレバーの操作を行わなければならず、操作が煩わしいという問題点がある。
【０００５】
本発明の目的は、ロールを幅方向から支持する支持部の移動が可能な状態と、移動が規制された状態とを、容易に切り替えることが可能な印刷装置を提供することである。
【課題を解決するための手段】
【０００６】
本発明に係る印刷装置は、印刷媒体に印刷を行う印刷装置であって、前記印刷媒体が巻回されたロールを収容し、前記ロールの幅方向である第１方向と交差する第２方向の一方側が開口する収容部を有する本体部と、前記収容部の開口を開閉可能に覆うカバーと、前記収容部に設けられ、前記ロールのうち前記第１方向の両側を支持する一対の支持部であって、少なくとも一方が前記第１方向に移動可能な一対の支持部と、前記一対の支持部のうち移動可能な移動支持部に設けられたロック部材であって、前記カバーが閉塞した状態で、前記移動支持部の移動を規制したロック位置に配置され、前記カバーが開放した状態で、前記移動支持部の移動を規制しないアンロック位置に配置されるロック部材と、前記収容部に設けられ、前記ロック部材が係合可能な係合部とを備え、前記ロック部材は、前記カバーが開放した状態で、前記係合部から離間した前記アンロック位置に配置され、前記カバーが開放した状態から閉塞する過程で前記カバーに当接し、前記アンロック位置から、前記係合部に係合した前記ロック位置に切り替わることを特徴とする。
【０００７】
印刷装置は、収容部に収容されるロールを第１方向の両側から支持する一対の支持部を備える。一対の支持部のうち少なくとも一方である移動支持部は、第１方向に移動可能である。このため、印刷装置は、ロールの幅に合わせて移動支持部を第１方向に移動させることによって、幅の異なるロールを収容部に安定的に収容できる。ロック部材は、カバーの開閉に応じて、移動支持部の移動を規制したロック位置と、移動支持部の移動を規制しないアンロック位置とに切り替わる。又、ロック部材は、カバーが開放した状態のときにアンロック位置に配置されるので、使用者は、ロールの着脱時において、ロールの幅に合わせて移動支持部を移動させることができる。一方、ロック部材は、カバーが開放した状態から閉塞する過程で、アンロック位置からロック位置に切り替わる。このため、使用者は、カバーを閉じる操作を行うだけで移動支持部の移動を規制できる。このように、印刷装置は、移動支持部の移動が規制されない状態と規制された状態とを、特別な操作を行うことなく簡単に実行できる。
【０００８】
本発明において、前記ロック部材を、前記ロック位置から前記アンロック位置に向けて付勢する付勢部材を更に備えてもよい。この場合、付勢部材は、カバーが閉塞した状態から開放する過程で、ロック部材をロック位置からアンロック位置に切り替えることができる。なお、ロック部材は、アンロック位置に配置された状態で、係合部から離間する。このため使用者は、カバーを開放する操作を行うだけで、移動支持部の移動が規制された状態を確実に解除し、移動支持部を移動可能にできる。
【０００９】
本発明において、前記ロック部材は、前記移動支持部の側面に、支軸を中心として揺動可能に支持され、前記カバーと当接可能な当接部を有する第１ロック部材と、前記移動支持部に移動可能に支持され、前記第１ロック部材の揺動に連動して移動し、前記係合部と係合可能な被係合部を有する第２ロック部材とを備えてもよい。この場合、印刷装置は、カバーが閉塞する過程で、第１ロック部材の当接部をカバーに当接させることができる。又、印刷装置は、カバーが当接部に当接したことに応じて第１ロック部材が揺動した場合、この揺動に応じて第２ロック部材を移動させ、被係合部を係合部に係合させることができる。このように、印刷装置は、カバーの閉塞に応じてアンロック位置からロック位置に切り替えられるロック部材を、第１ロック部材と第２ロック部材によって容易に実現できる。
【００１０】
本発明において、前記第１ロック部材は、前記第２ロック部材と連結する連結部を有し、前記支軸に沿って延びる第１仮想線と前記当接部との間の最短距離である第１距離は、前記第１仮想線と前記連結部との間の最短距離である第２距離よりも長くてもよい。この場合、第１ロック部材が揺動することに応じて当接部が回転する場合の回転半径は、連結部が回転する場合の回転半径よりも大きくなる。従って、第１ロック部材は、カバーが当接部に当接したときにカバーから受ける力よりも大きな力で、連結部を介して第２ロック部材を移動させることができる。この場合、第２ロック部材の被係合部は、より大きな力で係合部と係合することになるので、移動支持部の移動を確実に規制できる。
【００１１】
本発明において、前記支軸に沿って延びる方向と直交する第２仮想線であって前記連結部を通過する第２仮想線と、前記第２ロック部材の移動方向とが略直交してもよい。この場合、当接部に対するカバーの当接に応じて第１ロック部材が揺動した場合の連結部の移動量は、第２ロック部材の移動方向において最も大きくなる。このため、印刷装置は、第１ロック部材の揺動量が僅かである場合でも、第２ロック部材を適切に移動させて被係合部を係合部に係合させることができる。
【００１２】
本発明において、前記ロック部材は、前記移動支持部の側面に、支軸を中心として揺動可能に支持された第３ロック部材を備え、前記第３ロック部材は、前記カバーと当接可能な当接部と、前記係合部と係合可能な被係合部とを有してもよい。この場合、印刷装置は、カバーが閉塞する過程で、当接部をカバーに当接させることができる。又、印刷装置は、カバーが当接部に当接したことに応じて、被係合部を係合部に係合させることができる。このように、印刷装置は、カバーの閉塞に応じてアンロック位置からロック位置に切り替えられるロック部材を容易に実現できる。
【００１３】
本発明において、前記ロールの前記第１方向の側部に当接して保持する回転板であって、前記支軸を中心として回転可能に支持される回転板を有し、前記第１ロック部材は、前記移動支持部と前記回転板とによって前記第１方向の両側から挟まれてもよい。この場合、移動支持部に対して揺動可能な第１ロック部材を、移動支持部に容易に組み付けることができる。又、移動支持部と回転板との間の隙間に第１ロック部材を配置させることで、ロールを支持する為の機構（一対の支持部、ロック部材）を省スペース化できる。
【００１４】
本発明において、前記ロールの前記第１方向の側部に当接して保持する回転板であって、前記支軸を中心として回転可能に支持される回転板を有し、前記第３ロック部材は、前記移動支持部と前記回転板とによって前記第１方向の両側から挟まれてもよい。この場合、移動支持部に対して揺動可能な第３ロック部材を、移動支持部に容易に組み付けることができる。又、移動支持部と回転板との間の隙間に第３ロック部材を配置させることで、ロールを支持する為の機構（一対の支持部、ロック部材）を省スペース化できる。
【００１５】
本発明において、前記当接部は、弾性変形可能な当接片を有してもよい。この場合、カバーの組み付け誤差による位置のばらつきを、当接片が弾性変形することで吸収できる。
【図面の簡単な説明】
【００１６】
【図１】カバー３が閉塞した状態の印刷装置１の斜視図である。
【図２】カバー３が開放した状態の印刷装置１の斜視図である。
【図３】収容部２４を示す斜視図である。
【図４】一対の支持部４、ロック部材５、６、及び、調節機構７を示す斜視図である。
【図５】支持部４１、ロック部材５、及び、回転板４３の斜視図である。
【図６】調節機構７の正面図である。
【図７】第１ロック部材５１の側面図である。
【図８】支持部４１、ロック部材５、及び、回転板４３の側面図である。
【図９】カバー３が開放／閉塞した状態におけるロック部材５等を示す断面図である。
【図１０】ロック部材８を右側から見た側面図である。
【図１１】カバー３が開放／閉塞した状態におけるロック部材８等を示す断面図である。
【発明を実施するための形態】
【００１７】
＜第１実施形態＞
以下、本発明の第１実施形態について、図面を参照して説明する。印刷装置１は、ＵＳＢ（登録商標）ケーブルを介して外部端末（図示略）に接続可能である。印刷装置１は、外部端末から受信した印刷データに基づいて、印刷媒体に文字、図形等のキャラクタを印刷できる。印刷媒体は感熱ラベルである。外部端末は汎用のパーソナルコンピュータ（ＰＣ）である。印刷装置１は、電池駆動が可能である。印刷装置１は、例えばベルトクリップ（図示略）を介して腰ベルトに装着されることによって、作業中の使用者に携帯されて使用される。図１の右下側、左上側、右上側、左下側、上側、及び下側を、それぞれ、印刷装置１の右側、左側、後側、前側、上側、及び下側と定義する。
【００１８】
＜本体部２、カバー３＞
図１に示すように、印刷装置１は、本体部２及びカバー３を備える。本体部２は、略直方体の箱状である。図２に示すように、本体部２の内部のうち後側略半分の部分に、収容部２４が設けられる。収容部２４は、本体部２の前後方向略中央を仕切る非図示の仕切り板、本体部２の左右両端部、後端部、及び、下端部によって区画される。収容部２４の上側は、本体部２に形成された開口部２０によって開口する。収容部２４には、ロールＭが収容される。ロールＭは、感熱ラベルが貼付された台紙（以下、「テープ」という。）が筒状の芯に巻回されて構成される。
【００１９】
図３に示すように、本体部２のうち開口部２０の前端部に、切断刃２６Ａが設けられる。切断刃２６Ａは、テープのうち印刷された部分を切り離すことができる。切断刃２６Ａの下側に、サーマルヘッド２６Ｂが設けられる。サーマルヘッド２６Ｂは、加熱により感熱ラベルにキャラクタを印刷する。切断刃２６Ａ及びサーマルヘッド２６Ｂは、それぞれ左右方向に延びる。本体部２のうち開口部２０の左右両端部に係止部２５が設けられる。各係止部２５は、それぞれの下端が揺動可能に支持される。本体部２の右側面に設けられたレバー２３（図１参照）が使用者によって押し下げられた場合、各係止部２５の上端部は後方に揺動する。
【００２０】
図１、図２に示すように、カバー３は、本体部２の後端部に回転可能に支持される。カバー３は、後端部を中心に、閉塞状態（図１参照）と開放状態（図２参照）との間を揺動可能である。図１に示すように、カバー３は、閉塞状態の場合に開口部２０の下側の収容部２４を上側から覆う。カバー３は、開放状態の場合に開口部２０の下側の収容部２４を開放する。カバー３は、付勢部材３０（図３示略）によって、閉塞状態から開放状態に揺動する向きに付勢される。以下では、閉塞状態のカバー３（図１参照）を基準とし、印刷装置１の各方向をカバー３に適用する。
【００２１】
図２に示すように、カバー３の前端部にプラテンホルダ３３が設けられる。プラテンホルダ３３は、プラテンローラ３１を回転可能に支持する。プラテンローラ３１の回転軸は左右方向に延びる。プラテンローラ３１の回転軸の左右両端部から左右外側に向けて、円筒状の軸受３２がそれぞれ延びる。各係止部２５は、カバー３を閉塞状態とした場合、対応する軸受３２を係止する。この場合、カバー３は閉塞状態で維持される（図１参照）。カバー３が閉塞状態のときにレバー２３（図１参照）が押し下げられた場合、各係止部２５は、対応する軸受３２から外れる。カバー３は、付勢部材３０の付勢力によって閉塞状態から開放状態（図２参照）まで揺動する。
【００２２】
図１に示すように、カバー３が閉塞状態のとき、サーマルヘッド２６Ｂ（図２参照）とプラテンローラ３１（図２参照）とは互いに近接する。プラテンローラ３１は、サーマルヘッド２６Ｂとの間にテープが配置された場合、サーマルヘッド２６Ｂ（図３参照）に向けてテープを押し付ける。プラテンローラ３１は、非図示のモータの駆動により回転することで、サーマルヘッド２６Ｂにテープを押し付けながら搬送する。カバー３が閉塞状態のとき、切断刃２６Ａとプラテンローラ３１との間には、排出口２６Ｃが形成される。排出口２６Ｃは、印刷装置１の内部で印刷されたテープを外部に排出する。
【００２３】
＜ホルダ１０＞
図３に示すように、収容部２４にホルダ１０が固定される。ホルダ１０は、ロールＭの幅方向が左右方向を向いた状態で、ロールＭを回転可能に保持する。ホルダ１０は、固定部１０Ａ、１０Ｂ、支持部４１、４６（「一対の支持部４」という。）、ロック部材５、６、回転板４３（図２参照）、４８、及び、調節機構７（図４参照）等を有する。
【００２４】
固定部１０Ａ、１０Ｂは、それぞれ、略板状である。固定部１０Ａは、収容部２４の前側の壁部に対応する仕切り板（非図示）に固定される。固定部１０Ａは、仕切り板に沿って延びる。固定部１０Ａの延びる方向は、水平方向に対して傾斜する。固定部１０Ａは、前端部から後端部に向けて、斜め下側に延びる。固定部１０Ａは、左右方向に延びる溝１０１、１０２（図６参照）を有する。溝１０１、１０２は左右方向に一直線状に並ぶ。溝１０２は、溝１０１の右側に配置される。溝１０１、１０２は、左右方向に離隔する。
【００２５】
固定部１０Ｂは、固定部１０Ａの後端部に接続する。固定部１０Ｂは、本体部２の下端部に沿って水平に延びる。固定部１０Ｂは、係合部５３、５４を有する。係合部５３、５４は、それぞれ、左右方向に配列され且つそれぞれが前後方向に延びる複数の歯を有する。係合部５３、５４は左右方向に一直線状に並ぶ。係合部５３、５４は、左右方向に離隔する。係合部５４は、係合部５３に対して右側に配置される。
【００２６】
＜一対の支持部４＞
図３に示すように、一対の支持部４は、固定部１０Ａの後側に配置される。一対の支持部４は左右方向に対向する。図２、図３に示すように、一対の支持部４は、ロールＭの左右方向の両側を支持する。支持部４１は、ロールＭの左側を支持する。支持部４６は、ロールＭの右側を支持する。支持部４６は、支持部４１に対して右側に配置される。図４に示すように、支持部４１、支持部４６は、互いに左右対称である。以下では、支持部４１について詳細に説明し、支持部４６の説明は簡略化する。
【００２７】
図５に示すように、支持部４１は、基部４１Ａ、延伸部４１Ｂ、及び、突出部４１Ｃを有する。基部４１Ａは、左右方向と直交する略板状の部位を有する。延伸部４１Ｂは、基部４１Ａの前端部のうち上下方向略中央よりも下側の部分から、前斜め下側に向けて延びる。延伸部４１Ｂは、後述するロック部材５の一部（第１ロック部材５１の突出部５７Ａ、及び、第２ロック部材５２の基部５８）が挿通する孔４１１、４１２を有する。孔４１１の開口部は、延伸部４１Ｂの下端部に形成される。孔４１１は、延伸部４１Ｂの下端部から前斜め上側に延びる。孔４１２の開口部は、延伸部４１Ｂの右端部に形成される。孔４１２は、延伸部４１Ｂの右端部から左側に延びる。孔４１２は、延伸部４１Ｂの内部で孔４１１に接続する。
【００２８】
突出部４１Ｃは、延伸部４１Ｂの前斜め下側の端部から、前斜め下側に向けて突出する。突出部４１Ｃは、固定部１０Ａ（図６参照）に設けられた溝１０１（図６参照）に後側から挿通し、固定部１０Ａよりも前側に突出する。
【００２９】
図４に示すように、支持部４６は、基部４６Ａ、延伸部４６Ｂ、及び、突出部４６Ｃを有する。基部４６Ａ、延伸部４６Ｂ、及び、突出部４６Ｃは、それぞれ、支持部４１の基部４１Ａ、延伸部４１Ｂ、及び、突出部４１Ｃに対応する。突出部４６Ｃは、固定部１０Ａ（図６参照）に設けられた溝１０２（図６参照）に後側から挿通し、固定部１０Ａよりも前側に突出する。
【００３０】
＜調節機構７＞
調節機構７は、一対の支持部４を連動して左右方向に移動させる。図６に示すように、調節機構７は、固定部１０Ａ（図３参照）の前側に配置される。図４に示すように、調節機構７は、ラックギア７１、７２、ピニオンギア７３、支持板７４（図６参照）、引張ばね７５（図６参照）を有する。
【００３１】
ラックギア７１、７２は、上下方向に対向する。ラックギア７２は、ラックギア７１の上側に配置される。ラックギア７１、７２は、それぞれ左右方向に延びる。ラックギア７１の上端部及びラックギア７２の下端部に、歯が形成される。ラックギア７１の左端部は、支持部４１の突出部４１Ｃに接続する。ラックギア７２の右端部は、支持部４６の突出部４６Ｃに接続する。図６に示すように、ラックギア７２の上端部に、上側に突出する保持部７２１が設けられる。
【００３２】
図４に示すように、ラックギア７１、７２の間にピニオンギア７３が設けられる。ピニオンギア７３は、固定部１０Ａ（図６参照）の前側のうち溝１０１、１０２の間の部分に、回転可能に支持される。ピニオンギア７３の歯は、ラックギア７１、７２の歯に噛合する。ラックギア７１、７２は、それぞれ、ピニオンギア７３の回転に伴って左右方向に移動する。これに伴い、支持部４１、４６は、溝１０１、１０２（図６参照）に沿って左右方向に移動する。例えば、支持部４１が左側に所定量移動すると、ラックギア７１、ピニオンギア７３、及び、ラックギア７２を介して、支持部４１の移動に連動して支持部４６が右側に所定量移動する。つまり、ラックギア７１、７２、及び、ピニオンギア７３は、一対の支持部４を、互いに離隔する方向（左右方向外側）に移動させる。一方、支持部４１が右側に所定量移動すると、ラックギア７１、ピニオンギア７３、及び、ラックギア７２を介して、支持部４１の移動に連動して支持部４６が左側に所定量移動する。つまり、ラックギア７１、７２、及び、ピニオンギア７３は、一対の支持部４を、互いに接近する方向（左右方向内側）に移動させる。
【００３３】
図６に示すように、ピニオンギア７３の前側に支持板７４が固定される。支持板７４には、左側に向けて延びる延伸部７４０が設けられる。延伸部７４０の左端部に、上側に突出する保持部７４１が設けられる。支持板７４の保持部７４１と、ラックギア７２の保持部７２１との間に、引張ばね７５が引っ掛けられる。引張ばね７５は、支持部４１、４６に対し、それぞれが互いに近接する向きの付勢力を付与する。
【００３４】
＜ロック部材５、６＞
図４に示すように、ロック部材５は支持部４１に設けられ、ロック部材６は支持部４６に設けられる。ロック部材５、６は、互いに左右対称である。以下では、ロック部材５について詳細に説明し、ロック部材６の説明は簡略化する。
【００３５】
図５に示すように、ロック部材５は、第１ロック部材５１及び第２ロック部材５２を有する。図７に示すように、第１ロック部材５１は板状である。第１ロック部材５１は、基部５５、当接部５６、及び、連結部５７を有する。基部５５は略円形である。基部５５の中心に孔５５Ａが形成される。孔５５Ａには螺子４４（図５参照）が挿通される。図５に示すように、孔５５Ａに挿通された状態の螺子４４の軸部の中心に対応する支軸４４Ｃに沿って延びる仮想線を、「第１仮想線Ｖ１」という。この場合、図７に示すように、第１仮想線Ｖ１は、基部５５の中心を通過する。
【００３６】
当接部５６は、基部５５の前端部の近傍のうち上下方向略中央よりも上側の部分から、上側に向けて延びる。当接部５６は、延伸部５６１、５６２、及び、突出部５６３を有する。延伸部５６１は、基部５５との接続部分から上側に向けて延びる。延伸部５６２は、延伸部５６１の上端部から、前側に向けて延びる。突出部５６３は、延伸部５６２の前端部から、上側に向けて突出する。延伸部５６１、５６２、及び、突出部５６３を、「当接片５６Ａ」という。突出部５６３に対して上側から力が作用すると、延伸部５６１、５６２が弾性変形して、突出部５６３は下方に僅かに移動する。突出部５６３に力が作用しなくなると、延伸部５６１、５６２の弾性変形は元に戻り、突出部５６３も元の位置に戻る。第１仮想線Ｖ１に沿った方向（左右方向）から第１ロック部材５１を見た場合における、突出部５６３の先端と第１仮想線Ｖ１との間の距離、言い換えれば、突出部５６３の先端と第１仮想線Ｖ１との最短距離を、「第１距離Ｌ１」という。
【００３７】
連結部５７は、基部５５の上下方向略中央よりも下側の部分から、斜め下側に向けて延びる。図５に示すように、連結部５７は、左側に向けて突出する突出部５７Ａを先端部に有する。突出部５７Ａの形状は、略円柱状である。図７に示すように、突出部５７Ａの中心を通る仮想線と連結部５７との交点を、「交点Ｐｖ」という。第１仮想線Ｖ１に沿った方向（左右方向）から第１ロック部材５１を見た場合における、交点Ｐｖと第１仮想線Ｖ１との間の距離、言い換えれば、交点Ｐｖと第１仮想線Ｖ１との間の最短距離を、「第２距離Ｌ２」という。第２距離Ｌ２は、第１距離Ｌ１よりも短い（Ｌ１＞Ｌ２）。
【００３８】
図５に示すように、第２ロック部材５２は、基部５８及び被係合部５９を有する。基部５８は略棒状である。基部５８は、上端部から下端部に向かうに従って後側に傾斜する向きに延びる。基部５８は、上端部近傍に孔５８Ａを有する。孔５８Ａは、基部５８を左右方向に貫通する。被係合部５９は、基部５８の下端部に設けられる。被係合部５９は、下端部に歯５９Ａを有する。
【００３９】
図４に示すように、ロック部材６は、第１ロック部材６１及び第２ロック部材６２を有する。第１ロック部材６１及び第２ロック部材６２は、ロック部材５の第１ロック部材５１及び第２ロック部材５２に対応する。第１ロック部材６１の基部６５、当接部６６、及び、連結部６７（図３参照）は、第１ロック部材５１の基部５５、当接部５６、及び、連結部５７に対応する。第２ロック部材６２の基部６８（図３参照）及び被係合部６９は、第１ロック部材５１の基部５８及び被係合部５９に対応する。
【００４０】
＜回転板４３、４８＞
図５に示すように、回転板４３は円形板状である。回転板４３の平面は、左右方向と直交する。回転板４３は、第１ロック部材５１の基部５５に対して右側に配置される。回転板４３は、支持部４１の基部４１Ａとの間に第１ロック部材５１の基部５５を挟む。回転板４３の中心に孔４３Ａが形成される。孔４３Ａには螺子４４が挿通される。図２に示すように、回転板４３はロールＭの左端部に当接し、ロールＭを回転可能に保持する。図５に示すように、回転板４３の直径は、第１ロック部材５１の基部５５の直径と略同一である。
【００４１】
図３に示すように、回転板４８は円形板状である。回転板４８の平面は、左右方向と直交する。図４に示すように、回転板４８は、第１ロック部材６１の基部６５に対して左側に配置される。回転板４８は、支持部４６の基部４６Ａとの間に第１ロック部材６１の基部６５を挟む。回転板４８の中心に孔が形成される。図３に示すように、該孔には螺子４９が挿通される。回転板４８は、ロールＭの右端部に当接し、ロールＭを回転可能に保持する。回転板４８の直径は、第１ロック部材６１の基部６５の直径と略同一である。
【００４２】
＜組み付け方法＞
支持部４１、ロック部材５（第１ロック部材５１及び第２ロック部材５２）、及び、回転板４３の組み付け方法について説明する。なお、支持部４６、ロック部材６（第１ロック部材６１及び第２ロック部材６２）、及び、回転板４８の組み付け方法は、支持部４１、ロック部材５、及び、回転板４３の組み付け方法と同一である為、説明を省略する。
【００４３】
図８に示すように、はじめに、支持部４１の延伸部４１Ｂに設けられた孔４１１に対して、第２ロック部材５２の基部５８が下側から挿入される。孔４１１の延びる方向と、第２ロック部材５２の基部５８の延びる方向とは一致する。第２ロック部材５２は、支持部４１に対して、孔４１１に沿った方向に移動可能に支持される。次に、支持部４１の基部４１Ａの右側面に、第１ロック部材５１の基部５５が近接して配置される（図５参照）。このとき、支持部４１の基部４１Ａと第１ロック部材５１の基部５５との間に、付勢部材４５（図４参照）が挟まれる。付勢部材４５は、圧縮コイルばねである。
【００４４】
支持部４１の延伸部４１Ｂに設けられた孔４１２に対して、第１ロック部材５１の連結部５７の突出部５７Ａが右側から挿入される。同時に、連結部５７の突出部５７Ａは、支持部４１の延伸部４１Ｂの内部で、第２ロック部材５２の基部５８の孔５８Ａ（図５参照）に右側から挿入される。これによって、第１ロック部材５１の連結部５７は第２ロック部材５２に連結される。
【００４５】
次に、第１ロック部材５１の基部５５の右側面に、回転板４３が近接して配置される（図５参照）。第１ロック部材５１の基部５５は、支持部４１の基部４１Ａと回転板４３とによって、左右両側から挟まれる。
【００４６】
次に、回転板４３の中心の孔４３Ａ（図５参照）に、螺子４４が右側から挿通される。螺子４４は、第１ロック部材５１の基部５５の孔５５Ａ（図５参照）を通過し、支持部４１の基部４１Ａに螺合される。第１ロック部材５１及び回転板４３は、螺子４４の軸部の中心に対応する支軸４４Ｃを中心として、支持部４１の右側面に揺動又は回転可能に支持される。即ち、第１ロック部材５１と回転板４３は、夫々が独立して揺動又は回転可能に支持部４１に支持される。付勢部材４５は、第１ロック部材５１を、右側から見た状態（図８の状態）で時計回り方向に揺動する向きに付勢する。以下、特段限定のない限り、回転方向（時計回り方向、又は、反時計回り方向）は、右側から見た状態の方向を示す。
【００４７】
第１ロック部材５１の揺動に応じて、連結部５７も揺動する。この場合、連結部５７を介して連結した状態の第２ロック部材５２は、第１ロック部材５１の揺動に連動して移動する。第２ロック部材５２の移動方向に沿った仮想線を、「移動仮想線Ｖｍ」という。移動仮想線Ｖｍは、固定部１０Ａと平行に延びる。又、移動仮想線Ｖｍは、支持部４１の延伸部４１Ｂの孔４１１の延びる方向、及び、第２ロック部材５２の基部５８の延びる方向と一致する。支軸４４Ｃ（図５参照）に沿って延びる第１仮想線Ｖ１と直交する仮想線であって、突出部５７Ａの中心を通る仮想線と連結部５７との交点Ｐｖを通る仮想線を、「第２仮想線Ｖ２」という。この場合、移動仮想線Ｖｍと第２仮想線Ｖ２とは略直交する。つまり、第２ロック部材５２は、第１ロック部材５１の揺動に応じ、第２仮想線Ｖ２と略直交する方向に移動する。
【００４８】
＜カバーの開閉動作＞
図９（Ａ）は、カバー３を開放状態とした場合のロック部材５の状態を示す。なお、図９において、回転板４３の図示は省略する。この場合、第１ロック部材５１の当接部５６にカバー３は当接しない。第１ロック部材５１は、付勢部材４５（図５参照）の付勢力によって時計回り方向に揺動する。この揺動に応じ、第１ロック部材５１の連結部５７は前斜め上側に移動する。連結部５７に連結する第２ロック部材５２も、第１ロック部材５１の揺動に連動して前斜め上側に移動する。第２ロック部材５２の被係合部５９は、固定部１０Ｂの係合部５３に対して上側に離間する。被係合部５９の歯５９Ａ（図５参照）は、係合部５３の歯（図３参照）に係合しない。このため、支持部４１の左右方向の移動は規制されず、左右方向に自由に移動可能な状態となる。以下、カバー３を開放状態とした場合におけるロック部材５の回転位置を、「アンロック位置」という。なお、説明は省略するが、ロック部材６についても同様である。
【００４９】
例えば使用者は、カバー３を開放状態にすると、支持部４１のロック部材５及び支持部４６のロック部材６はアンロック位置に配置される。この状態で、使用者は、支持部４１、４６を操作し、互いに離隔する方向（左右方向外側）に移動させ、支持部４１、４６の間にロールＭ（図３参照）を配置させる。使用者が支持部４１、４６に対する操作を解除すると、支持部４１、４６は、調節機構７の引張ばね７５の付勢力によって、回転板４３、４８の間の距離がロールＭの幅と同じ長さとなるように、互いに接近する方向（左右内側方向）に移動する。その後、使用者はカバー３を閉塞させる。
【００５０】
カバー３が開放状態から閉塞状態（図９（Ｂ）参照、後述）に変化する過程で、第１ロック部材５１の当接部５６の当接片５６Ａは、カバー３のうちプラテンホルダ３３（図２参照）の近傍に当接する。第１ロック部材５１は、付勢部材４５（図４参照）の付勢力に抗して反時計回り方向に揺動する。
【００５１】
図９（Ｂ）は、カバー３を閉塞状態とした場合のロック部材５の状態を示す。この場合、第１ロック部材５１が反時計回り方向に揺動したことに応じ、第１ロック部材５１の連結部５７は後斜め下側に移動する。この揺動に応じ、連結部５７に連結する第２ロック部材５２も、第１ロック部材５１の揺動に連動して後斜め下側に移動する。第２ロック部材５２の被係合部５９の歯５９Ａ（図５参照）は、係合部５３の歯（図３参照）に係合する。このため、支持部４１の左右方向の移動は、ロック部材５によって規制される。以下、カバー３を閉塞状態とした場合におけるロック部材５の回転位置を、「ロック位置」という。つまり、ロック部材５は、カバー３が開放状態（図９（Ａ）参照）から閉塞状態（図９（Ｂ）参照）に変化する過程で、アンロック位置（図９（Ａ）参照）からロック位置（図９（Ｂ）参照）に切り替わる。なお、説明は省略するが、支持部４６及びロック部材６についても同様である。
【００５２】
支持部４１、４６の左右方向の移動が規制された場合、ロールＭの左右両端部に回転板４３、４８が接触した状態は維持される。ロールＭは、左右両側から回転可能に支持され、ロールＭに巻回された感熱ラベルに対する印刷が可能な状態になる。
【００５３】
＜第１実施形態の主たる作用、効果＞
印刷装置１は、収容部２４に収容されるロールＭを左右方向の両側から支持する一対の支持部４（支持部４１、４６）を備える。支持部４１、４６は、調節機構７により互いに連動して、左右方向に移動可能である。このため、印刷装置１は、ロールＭの幅に合わせて支持部４１、４６を左右方向に移動させることによって、幅の異なるロールＭを収容部２４に安定的に収容できる。このため、印刷時においてロールＭからテープが繰り出されるときに、左右方向と直交する方向に対して傾斜した方向にテープが搬送されることを抑制できる。
【００５４】
ロック部材５、６は、カバー３の開閉に応じて、支持部４１、４６の移動を規制しないアンロック位置（図９（Ａ）参照）と、支持部４１、４６の移動を規制したロック位置（図９（Ｂ）参照）とに切り替わる。又、ロック部材５、６は、カバー３が開放状態のときにアンロック位置に配置されるので、使用者は、ロールＭの着脱時において、ロールＭの幅に合わせて一対の支持部４を容易に移動させることができる。一方、ロック部材５，６は、カバー３が開放状態から閉塞する過程で、アンロック位置からロック位置に切り替わる。そして、ロック部材５、６は、カバー３が閉塞状態のとき、アンロック位置に維持される。このため、使用者は、カバー３を閉じる操作を行うだけで、一対の支持部４の移動を規制できる。このように、印刷装置１は、一対の支持部４の移動が規制されない状態と規制された状態とを、特別な操作を行うことなく簡単に実行できる。又、カバー３が閉塞されることによってロック部材５，６はアンロック位置からロック位置に自動的に切り替わるので、ロック部材５，６がアンロック位置に配置されたままで印刷が開始されることを抑制できる。
【００５５】
更に、カバー３が閉塞状態の場合、ロック部材５，６がロック位置からアンロック位置に移動することが抑制される。このため、例えば印刷装置１の落下時の衝撃がロールＭに作用した場合でも、ロック部材５、６によって一対の支持部４の移動が抑制されるので、収容部２４内でロールＭが移動することを防止できる。
【００５６】
ロック部材５は、付勢部材４５を備える。付勢部材４５は、ロック部材５を、ロック位置からアンロック位置に向けて付勢する。この場合、付勢部材４５は、カバー３が閉塞状態から開放する過程で、ロック部材５をロック位置からアンロック位置に自動的に切り替えることができる。なお、ロック部材５がアンロック位置に配置された状態で、係合部５３の被係合部５９は係合部５３から離間する。ロック部材６についても同様である。このため使用者は、カバー３を開放する操作を行うだけで、一対の支持部４の移動が規制された状態を確実に解除し、ロールＭの交換が可能な状態にできる。
【００５７】
ロック部材５は、第１ロック部材５１及び第２ロック部材５２を備える。第１ロック部材５１は、カバー３に当接可能な当接部５６を有する。第２ロック部材５２は、係合部５３に係合可能な被係合部５９を有する。この場合、印刷装置１は、カバー３が閉塞する過程で、第１ロック部材５１の当接部５６をカバー３に当接させることができる。又、印刷装置１は、カバー３に当接部５６が当接したことに応じて第１ロック部材５１が揺動した場合、この揺動に応じて第２ロック部材５２を移動させ、被係合部５９を係合部５３に係合させることができる。ロック部材６についても同様である。このように、印刷装置１は、カバー３の閉塞に応じてアンロック位置からロック位置に切り替えられる機構を、第１ロック部材５１と第２ロック部材５２によって容易に実現できる。
【００５８】
更に、第１ロック部材５１、６１の当接部５６、６６は、それぞれ、カバー３のうちプラテンホルダ３３に近接する部分に当接する。カバー３のプラテンホルダ３３に近接する部分は、他の部分よりも強度が強い。つまり、印刷装置１は、第１ロック部材５１、６１の当接部５６、６６を、カバー３のうち強度が相対的に強い部分に当接させることによって、ロック部材５、６がロック位置に配置された状態を安定的に維持できる。
【００５９】
第１ロック部材５１の当接部５６と第１仮想線Ｖ１との最短距離である第１距離Ｌ１は、第１ロック部材５１の連結部５７と第１仮想線Ｖ１との最短距離である第２距離Ｌ２よりも長い。この場合、第１ロック部材５１が揺動することに応じて当接部５６が回転する場合の回転半径（第１長さＬ１）は、連結部５７が回転する場合の回転半径（第２長さＬ２）よりも大きくなる。この場合、第１ロック部材５１は、カバー３が当接部５６に当接したときにカバー３から受ける力よりも大きな力で、連結部５７を介して第２ロック部材５２を移動させることができる。この場合、第２ロック部材５２の被係合部５９は、より大きな力で係合部５３と係合することになるので、被係合部５９は係合部５３から外れ難くなる。第１ロック部材６１及び第２ロック部材６２についても同様である。従って、例えば印刷装置１の落下時の衝撃でロールＭに大きな力が作用した場合でも、印刷装置１は、一対の支持部４の移動をロック部材５，６によって確実に規制できる。
【００６０】
第１ロック部材５１の揺動に応じて移動する第２ロック部材５２の移動方向に沿った移動仮想線Ｖｍと、第１仮想線Ｖ１と直交する仮想線であって連結部５７を通る第２仮想線Ｖ２とは略直交する。この場合、当接部５６に対するカバー３の当接に応じて第１ロック部材５１が揺動した場合の連結部５７の移動量は、第２ロック部材５２の移動方向において最も大きくなる。このため、印刷装置１は、カバー３が閉塞することに応じた第１ロック部材５１の揺動量が僅かである場合でも、第２ロック部材５２を適切に移動させて被係合部５９を係合部５３に係合させることができる。第１ロック部材６１及び第２ロック部材６２についても同様である。
【００６１】
第１ロック部材５１の基部５５は、支持部４１の基部４１Ａと回転板４３とによって、左右両側から挟まれ、螺子４４によって揺動可能に支持される。この場合、支持部４１に対して揺動可能な第１ロック部材５１を、支持部４１に容易に組み付けることができる。又、支持部４１と回転板４３との間の隙間に第１ロック部材５１を配置させることができるので、ロールＭを支持する為の機構（支持部４１、第１ロック部材５１）を省スペース化できる。第１ロック部材６１、支持部４６、及び、回転板４８についても同様である。更に、一対の支持部４、ロック部材５、６、及び、回転板４３、４８からなる構成に要する部品点数を削減できる。
【００６２】
ロック部材５の当接片５６Ａは、突出部５６３に対して上側から力が作用すると、延伸部５６１、５６２が弾性変形して、突出部５６３は下方に僅かに移動する。ロック部材６の当接片についても同様である。この場合、カバー３の組み付け誤差等によってカバー３が突出部５６３を押し下げる位置がばらつくことがあっても、当接片５６Ａが弾性変形することで吸収できる。又、閉塞状態のカバー３に衝撃が加わった場合でも、この衝撃が当接部５６を介してロック部材５に伝わることを、当接片５６Ａが弾性変形することによって抑制できる。このため、ロック部材５の破損を防止できる。
【００６３】
係合部５３、５４は、それぞれが前後方向に延びる複数の歯を有する。複数の歯のそれぞれの延びる方向は、ロールＭからテープが繰り出される方向と一致する。このため、印刷装置１は、ロールＭから繰り出されるテープが、係合部５３、５４の複数の歯に引っ掛かることを防止できる。従って、印刷装置１は、ロールＭから繰り出されるテープの搬送が、係合部５３、５４によって妨げられることを抑制できる。
【００６４】
＜第２実施形態＞
第２実施形態に係る印刷装置１について説明する。第１実施形態と異なる主な点は、ロック部材５（第１ロック部材５１及び第２ロック部材５２）の代わりに第３ロック部材８が用いられる点である。以下、図１０、図１１を参照して説明する。図１０において、回転板４３（図１１参照）の図示は省略する。図１１において、カバー３の図示は省略する。なお、ロック部材６に対応する非図示の第３ロック部材は、第３ロック部材８と左右対称であるので、説明を省略する。
【００６５】
図１０に示すように、第３ロック部材８は、支持部４１の右側面に設けられる。第３ロック部材８は、屈曲した細長い板状である。第３ロック部材８と直交する方向は、左右方向を向く。第３ロック部材８は、延伸部８１Ａ、８１Ｂ、及び、孔８１０を有する。孔８１０には、螺子４４（図１１（Ａ）参照）が挿通する。延伸部８１Ａは、孔８１０の近傍から前斜め上側に向けて延びる。延伸部８１Ａの先端に当接部８２が設けられる。延伸部８１Ｂは、孔８１０の近傍から前斜め下側に向けて延びる。延伸部８１Ｂの先端に被係合部８３が設けられる。なお、第２実施形態において、支持部４１の延伸部４１Ｂに孔４１１、４１２（図５参照）は設けられない。
【００６６】
支持部４１、第３ロック部材８、及び、回転板４３の組み付け方法について説明する。はじめに、支持部４１の基部４１Ａの右側面に、第３ロック部材８が近接して配置される。基部４１Ａと第３ロック部材８との間に、付勢部材４５（図５参照）が挟まれる。次に、図１１に示すように、第３ロック部材８の右側面に、回転板４３が近接して配置される。第３ロック部材８は、支持部４１の基部４１Ａと回転板４３とによって、左右両側から挟まれる。次に、回転板４３の中心の孔に、螺子４４が右側から挿通される。螺子４４は、第３ロック部材８の孔８１０を通過し、支持部４１の基部４１Ａに螺合される。第３ロック部材８及び回転板４３は、螺子４４の軸部の中心に対応する支軸４４Ｃを中心として、支持部４１の右側面に揺動又は回転可能に支持される。即ち、第３ロック部材８と回転板４３は、夫々が独立して揺動又は回転可能に支持部４１に支持される。付勢部材４５（図５参照）は、第３ロック部材８を時計回り方向に揺動する向きに付勢する。第３ロック部材８の揺動に応じて、当接部８２及び被係合部８３も揺動する。
【００６７】
図１１（Ａ）は、カバー３が開放した状態の第３ロック部材８の状態を示す。この場合、第３ロック部材８の当接部８２はカバー３に当接しない。このため、第３ロック部材８は、付勢部材４５の付勢力によって時計回り方向に揺動する。被係合部８３は、固定部１０Ｂの係合部５３に対して上側に離間し、係合部５３の歯に係合しない。このため、支持部４１の左右方向の移動は規制されず、左右方向に自由に移動可能な状態となる。つまり、カバー３が開放状態の場合における第３ロック部材８の回転位置は、「アンロック位置」に対応する。
【００６８】
カバー３が開放状態から閉塞状態（図１１（Ｂ）参照）に変化する過程で、第３ロック部材８の当接部８２にカバー３が当接する。第３ロック部材８は、付勢部材４５の付勢力に抗して反時計回り方向に揺動する。図１１（Ｂ）は、カバー３が閉塞状態となった場合の第３ロック部材８の状態を示す。この場合、第３ロック部材８が反時計回り方向に揺動したことに応じ、被係合部８３は後斜め下側に移動する。被係合部８３は、固定部１０Ｂの係合部５３の歯に係合する。このため、支持部４１の左右方向の移動は、第３ロック部材８によって規制される。つまり、カバー３が閉塞状態の場合における第３ロック部材８の回転位置は、「ロック位置」に対応する。第３ロック部材８は、カバー３が開放状態（図１１（Ａ）参照）から閉塞状態（図１１（Ｂ）参照）に変化する過程で、アンロック位置（図１１（Ａ）参照）からロック位置（図１１（Ｂ）参照）に切り替われる。なお、ロック部材６に対応する第３ロック部材についても同様である。
【００６９】
＜第２実施形態の主たる作用、効果＞
第２実施形態において、印刷装置１は、カバー３が閉塞する過程で、第３ロック部材８の当接部８２をカバー３に当接させることができる。又、印刷装置１は、当接部８２にカバー３が当接したことに応じて、被係合部８３を係合部５３に係合させることができる。この場合、第１実施形態と比べて、カバー３の閉塞に応じてアンロック位置からロック位置に切り替えられる第３ロック部材８を更に容易に実現できる。
【００７０】
第３ロック部材８は、支持部４１の基部４１Ａと回転板４３とによって、左右両側から挟まれ、螺子４４によって揺動可能に支持される。この場合、支持部４１に対して揺動可能な第３ロック部材８を、支持部４１に容易に組み付けることができる。又、支持部４１と回転板４３との間の隙間に第３ロック部材８を配置させることができるので、ロールＭを支持する為の機構（支持部４１、第３ロック部材８）を省スペース化できる。
【００７１】
＜変形例＞
本発明は上記実施形態に限定されず、種々の変更が可能である。一対の支持部４は、何れか一方が左右方向に移動可能であってもよい。例えば、支持部４１のみ左右方向に移動可能とし、支持部４６は収容部２４に固定されていてもよい。この場合、一対の支持部４のうち移動可能な支持部４１にのみロック部材５が設けられ、支持部４６にロック部材６は設けられていなくてもよい。係合部５３、５４は、本体部２の内壁に設けられていてもよい。
【００７２】
第１ロック部材５１は、付勢部材４５によって付勢されなくてもよい。例えば第１ロック部材５１は、カバー３が閉塞した状態から開放した状態に変化する過程で、自重によって、ロック位置からアンロック位置まで時計回り方向に揺動してもよい。この場合、付勢部材４５は設けられなくてもよい。
【００７３】
第１ロック部材５１、６１は、例えばリンク機構を介してカバー３に連結されていてもよい。リンク機構は、開放した状態から閉塞した状態までカバー３が移動することに応じ、第１ロック部材５１、６１を揺動させてもよい。この場合、第１ロック部材５１、６１に当接部５６、６６は設けられていなくてもよい。又、第３ロック部材８は、上下方向に移動可能に設けられていてもよい。第３ロック部材８は、リンク機構を介してカバー３に連結されていてもよい。第３ロック部材８は、開放状態と閉塞状態との間でカバー３が移動することに応じ、上下方向に移動してもよい。第３ロック部材８の被係合部８３は、カバー３が開放することに応じて第３ロック部材８が上側に移動した場合、係合部５３から上側に離間してもよい。一方、第３ロック部材８の被係合部８３は、カバー３が閉塞することに応じて第３ロック部材８が下側に移動した場合、係合部５３に近接して係合してもよい。この場合、第３ロック部材８に当接部８２は設けられていなくてもよい。
【００７４】
第１ロック部材５１の当接部５６と第１仮想線Ｖ１との最短距離である第１距離Ｌ１と、第１ロック部材５１の連結部５７と第１仮想線Ｖ１との最短距離である第２距離Ｌ２とは、略同一長さであってもよいし、第１距離Ｌ１の方が第２距離Ｌ２より短くてもよい。第１ロック部材５１の揺動に応じて移動する第２ロック部材５２の移動方向に沿った移動仮想線Ｖｍと、第１仮想線Ｖ１と直交する仮想線であって連結部５７を通る第２仮想線Ｖ２とは略直交していなくてもよい。第１ロック部材５１及び第３ロック部材８は、支持部４１の左側面に設けられていてもよい。この場合、第１ロック部材５１及び第３ロック部材８は、支持部４１と回転板４３との間に挟まれていなくてもよい。当接部５６の当接片５６Ａの形状は、上記実施形態に限定されない。当接片５６Ａは、弾性変形可能な材料（ゴム等）によって形成されていてもよい。
【００７５】
＜その他＞
支持部４１、４６は、本発明の「移動支持部」の一例である。左右方向は、本発明の「第１方向」の一例である。上下方向は、本発明の「第２方向」の一例である。上側は、本発明の「第２方向の一方側」の一例である。
【符号の説明】
【００７６】
１        ：印刷装置、
２        ：本体部
３        ：カバー
４、４１、４６        ：支持部
５、６        ：ロック部材
８        ：第３ロック部材
２４      ：収容部
４３、４８      ：回転板
４５      ：付勢部材
５１、６１      ：第１ロック部材
５２、６２      ：第２ロック部材
５３、５４      ：係合部
５６、８２      ：当接部
５６Ａ    ：当接片
５７、６７      ：連結部
５９、６９、８３      ：被係合部
【図１】
2018177460.tif 000003
【図２】
2018177460.tif 000004
【図３】
2018177460.tif 000005
【図４】
2018177460.tif 000006
【図５】
2018177460.tif 000007
【図６】
2018177460.tif 000008
【図７】
2018177460.tif 000009
【図８】
2018177460.tif 000010
【図９】
2018177460.tif 000011
【図１０】
2018177460.tif 000012
【図１１】
2018177460.tif 000013